(57)【要約】【課題】スローアウェイチップの浮き上がりを防止する拘束力が大きい内径加工用工具を提供すること、並びに、ネガテーパー状の壁面を備えたチップポケットの作製が面倒でなく、且つ、コスト的に有利な内径加工用工具を提供すること。【解決手段】平板状基部２の周面から小径棒状部３を一体的に突出させ、この小径棒状部３の先端に切刃部８を設けたスローアウェイチップ１の前記平板状基部２をホルダー２２に設けたチップ固定用のチップポケット２４内に固定する内径加工用工具２１において、前記チップポケット２４の壁面２４ａにネガテーパー状部（壁面２４ａ）を備え、このネガテーパー状部（壁面２４ａ）は、その上縁辺側領域２４ｂのみで前記スローアウェイチップ１を当接支持する構成とする。【選択図】図１
2004001109.tif 000002
【特許請求の範囲】
【請求項１】
平板状基部の周面から小径棒状部を一体的に突出させ、この小径棒状部の先端に切刃部を設けたスローアウェイチップの前記平板状基部をホルダーに設けたチップ固定用のチップポケット内に固定する内径加工用工具において、前記チップポケットの壁面にネガテーパー状部を備え、このネガテーパー状部は、その上縁辺側領域のみで前記スローアウェイチップを当接支持することを特徴とする内径加工用工具。
【請求項２】
前記ネガテーパー状部における前記スローアウェイチップを当接支持する上縁辺側領域が、前記壁面の全高の半分よりも上側であることを特徴とする請求項１記載の内径加工用工具。
【請求項３】
前記平板状基部において、前記小径棒状部の長軸方向の後方側に該長軸方向と交叉する傾斜面を形成するとともに、この傾斜面に対向する部分のチップポケットの壁面に前記ネガテーパー状部を備えたことを特徴とする請求項１記載の内径加工用工具。
【発明の詳細な説明】
【０００１】
【発明の属する技術分野】
本発明は、特に、ＯＡ機器用部品、電子部品、小径ベアリング等小型品を対象とする極小な内径加工に適した内径加工用工具に関するものである。
【０００２】
【従来の技術】
従来、前記内径加工用工具として、平板状基部の周面から小径棒状部を一体的に突出させ、この小径棒状部の先端に切刃部を設け、前記平板状基部をホルダーに設けたチップ固定用のポケット内に固定する内径加工用工具が用いられている。
このような内径加工用工具のなかに、図３に示すようなネガテーパー状の壁面１０１がホルダー２０１のチップポケット２０２に部分的に形成され、このネガテーパー状の壁面１０１をスローアウェイチップ３０１の当接支持に供するものがあった。
【０００３】
ここで、ネガテーパー状とは、当該壁面１０１において、下側（チップポケット２０２のチップ座面２０３側）が、上側よりも奥方となるようなテーパーを意味する。
【０００４】
【発明が解決しようとする課題】
しかしながら、前記従来の内径加工用工具は、ネガテーパー状に形成されたチップポケット２０２の壁面１０１と、これに対向するスローアウェイチップ３０１の周面とが、略全面当接或いは、チップ座面２０３に近い側でのみ当接するものであった。
【０００５】
そのため、チップポケット２０２におけるネガテーパー状の壁面１０１の下端（チップ座面２０３側端部）隅部に図３に示すようなアンダーカット部２０４を設けて、この部分に応力集中するのを防止する必要があった。
【０００６】
チップポケット２０２にこのようなアンダーカット部２０４を設けることは、加工が難しく、且つ、製作コストの面で不利であった。
【０００７】
また、多くの場合、テーパー角度の誤差から、ネガテーパー状に形成されたチップポケット２０２の壁面１０１と、これに対向するスローアウェイチップ３０１の周面とが、略全面当接よりも、図３に示すようなチップ座面２０４に近い側でのみ当接することが多かった。この場合、スローアウェイチップ３０１の浮き上がりを防止する、拘束力が小さかった。
【０００８】
以上のような従来技術の問題点に鑑み、本発明は、スローアウェイチップの浮き上がりを防止する拘束力が大きい内径加工用工具を提供すること、並びに、ネガテーパー状の壁面を備えたチップポケットの作製が面倒でなく、且つ、コスト的に有利な内径加工用工具を提供することを目的とする。
【０００９】
【課題を解決するための手段】
上記課題を解決するため本発明の内径加工用工具は、平板状基部の周面から小径棒状部を一体的に突出させ、この小径棒状部の先端に切刃部を設けたスローアウェイチップの前記平板状基部をホルダーに設けたチップ固定用のポケット内に固定する内径加工用工具において、前記チップポケットの壁面にネガテーパー状部を備え、このネガテーパー状部は、その上縁辺側領域のみで前記スローアウェイチップを当接支持することを特徴とする。
【００１０】
かかる構成によれば、チップポケットにおけるネガテーパー状部がチップの浮き上がりを抑制する効果があるところ、チップポケットの壁面とチップとの当接位置が確実にチップポケットの上縁辺側領域となるので、前記チップ浮き上がり抑制作用が非常に大きい。
【００１１】
さらに、チップポケットにおけるネガテーパー状部の着座面側領域が、スローアウェイチップに対して逃げているので、この部分に応力分散のためのアンダーカット部を形成する必要がなく、ネガテーパー状の壁面の下側終端部分を緩やかな湾曲面を形成しておけばよく、チップポケットの作製が容易、且つ、低コストで行なえる。
【００１２】
また、請求項２の内径加工用工具は、前記ネガテーパー状部における前記スローアウェイチップを当接支持する上縁辺側領域が、前記壁面の全高の半分よりも上側であることを特徴とする。
【００１３】
かかる構成によれば、前記チップ浮き上がり抑制作用をより確実に発揮させることができる。
【００１４】
また、請求項３の内径加工用工具は、前記平板状基部において、前記小径棒状部の長軸方向の後方側に該長軸方向と交叉する傾斜面を形成するとともに、この傾斜面に対向する部分のチップポケットの壁面に前記ネガテーパー状部を備えたたことを特徴とする。
【００１５】
かかる構成によれば、小径棒状部が最も離れた部分で前記チップ浮き上がり抑制の作用を発生させることができ、そのためその効果が非常に大きく、さらに、傾斜面に対向する部分のチップポケットの壁面にネガテーパー状部を設けたことにより、小径棒状部の径方向に対しても効果的にチップ浮き上がりを抑制する作用がある。
【００１６】
【発明の実施の形態】
以下、本発明の実施形態を図に基づいて説明する。
【００１７】
図１及び図２は本発明の内径加工用工具２１を示し、図２は図１のＡ−Ａ線断面図である。
【００１８】
図１に示すように、前記スローアウェイチップ（以下、チップと略称する。）１は、平板状基部２の周面から小径棒状部３を一体的に突出させ、この小径棒状部３の先端に切刃部８を設け、前記平板状基部２の中央部分にボルト固定用貫通孔４を設けたものである。なお、上記小径棒状部３は横逃げ面３ａを備え、また、その切刃部８にはすくい面９が形成されている。
【００１９】
また、前記平板状基部２における、前記小径棒状部３の長軸方向の後方側に該長軸方向と交叉する後端面としての傾斜面６を形成するとともに、この傾斜面６を前記長軸方向において前記ボルト固定用貫通孔４よりも後方側に形成した。
【００２０】
前記平板状基部２は、前記小径棒状部３の長軸方向前方側に前端面５、後方が側に傾斜面６、これら前端面５と傾斜面６とに交叉する拘束側面７ａと非拘束側面７ｂを有する。
【００２１】
この平板板状基部２は、前記長軸方向に長い細長形状を有している。本実施形態において、前記傾斜面６の長さに対し前記拘束側面７ａは約２．５倍である。そして、本実施形態においては、前記傾斜面６は拘束側面７ａと５５°〜８０°の角度で鋭角に交叉し、他方の側面７ｂと鈍角に交叉している。
【００２２】
図１に上記チップ１をホルダーに装着した内径加工用工具２１を示すように、長尺状のホルダー２２における上面２３の先端部には前記チップ１の平板状基部２と嵌合する切り欠いたチップポケット２４を備える。
【００２３】
このチップポケット２４のチップ座面２５にチップ１の平板状基部２に備える着座面を載置し、この状態のもと、ボルト２６を平板状基部２の上方から平板状基部２のボルト固定用貫通孔４に挿通し、さらにホルダー２２のチップ座面２５（図２参照）に形成したボルト固定穴（不図示）に螺着する。
【００２４】
このように前記チップ１をホルダー２２に固定することにより、チップ１の小径棒状部３をホルダー２２の長手方向に突出させた状態となる。そして、小径棒状部３をワーク（不図示）の孔内に挿入し、耳掻きのようにして極小径の孔内を加工することができる。
【００２５】
図２に示すように、前記傾斜面６は前記チップポケット２４の壁面２４ａに当接支持されている。この部分の壁面２４ａはネガテーパー状に形成されている。これに対して、チップ１の傾斜面６は上縁辺側領域６ａのみが逆テーパーで、それに対する下側領域６ｂがポジ状となっている。その結果、チップポケット２４のネガテーパー状の壁面２４ａは、その上縁辺側領域２４ｂのみでチップ１を当接支持している。
【００２６】
このような構成の利点としては、チップポケット２４におけるネガテーパー状の壁面がチップ１の浮き上がりを抑制する効果があるところ、チップポケット２４の壁面２４ａとチップ１との当接位置が確実にチップポケット２４の上縁辺側領域２４ａとなるので、前記チップ浮き上がり抑制作用が非常に大きい。
【００２７】
また、チップポケット２４におけるネガテーパー状の壁面２４ａの着座面側領域２４ｃが、チップ１に対して逃げているので、この部分に図３に示すような、応力分散のためのアンダーカット部２０４を形成する必要がなく、ネガテーパー状の壁面２４ａの下側終端部分を緩やかな湾曲面を形成しておけばよく、チップポケット２４の作製が容易、且つ、低コストで行なえる。
【００２８】
また、前記ネガテーパー状の壁面２４ａにおける前記チップ１を当接支持する上縁辺側領域２４ｂは、前記壁面２４ａの全高Ｈの半分よりも上側であることが好ましい。すなわち、図２における高さｈ２＜ｈ１であることが好ましい。上記範囲外である場合、チップ浮き上がり防止の効果が不充分となる恐れがある。
【００２９】
なお、本実施形態において、後端面（傾斜面６）に対向する部分に前記ネガテーパー状の壁面２４ａを形成しているが、本発明はこの実施形態に限定されるものではなく、チップポケット２４の任意の箇所（少なくとも一部分）に前記ネガテーパー状の壁２４ａを設ければよい。そして、前記内径加工用工具２１の構成において重要な点として、前記ネガテーパー状の壁面２４ａが、その上縁辺側領域２４ｂのみで前記チップ１を当接支持するようにすればよい。
【００３０】
そのうえで、本実施形態のように、小径棒状部３の長手方向に対して交叉する後端面（傾斜面６）と、これに対向するチップポケット２４の壁面２４ａを前述のように構成することによって、小径棒状部３が最も離れた部分で前記チップ浮き上がり抑制の作用を発生させることができ、そのためその効果が非常に大きい。
【００３１】
また、上記後端面が傾斜面６であることにより、チップ浮き上がりを小径棒状部３の長手方向のみでなく、小径棒状部３の径方向に対しても効果的に抑制する作用がある。
【００３２】
なお、前記ネガテーパー状の壁面のテーパーの角度としては、５°〜３０°の範囲であることが好ましい。
【００３３】
前記範囲未満の場合、チップ浮き上がりを充分防止できない恐れがあり、他方、
前記範囲を超える場合、ホルダーの強度が著しく低下する恐れがある。
【００３４】
以上、本発明の実施形態を例示したが、本発明は上記実施形態に限定されるものでなく、発明の目的を逸脱しない限り任意の形態とすることができることは云うまでもない。
【００３５】
【発明の効果】
以上のように、本発明の内径加工用工具は、平板状基部の周面から小径棒状部を一体的に突出させ、この小径棒状部の先端に切刃部を設けたスローアウェイチップの前記平板状基部をホルダーに設けたチップ固定用のポケット内に固定する内径加工用工具において、前記チップポケットの壁面にネガテーパー状部を備え、このネガテーパー状部は、その上縁辺側領域のみで前記スローアウェイチップを当接支持する構成としたことにより、チップポケットにおけるネガテーパー状部がチップの浮き上がりを抑制する効果があるところ、チップポケットの壁面とチップとの当接位置が確実にチップポケットの上縁辺側領域となるので、前記チップ浮き上がり抑制作用が非常に大きい。
【００３６】
さらに、チップポケットにおけるネガテーパー状部の着座面側領域が、スローアウェイチップに対して逃げているので、この部分に応力分散のためのアンダーカット部を形成する必要がなく、ネガテーパー状部の下側終端部分を緩やかな湾曲面を形成しておけばよく、チップポケットの作製が容易、且つ、低コストで行なえる。
【００３７】
また、前記ネガテーパー状部における前記スローアウェイチップを当接支持する上縁辺側領域が、前記壁面の全高の半分よりも上側とすることで、前記チップ浮き上がり抑制作用をより確実に発揮させることができる。
【００３８】
また、前記平板状基部において、前記小径棒状部の長軸方向の後方側に該長軸方向と交叉する傾斜面を形成するとともに、この傾斜面に対向する部分のチップポケットの壁面に前記ネガテーパー状部を備えることで、小径棒状部が最も離れた部分で前記チップ浮き上がり抑制の作用を発生させることができ、そのためその効果が非常に大きく、さらに、傾斜面に対向する部分のチップポケットの壁面を、前記ネガテーパー状部としたことにより、小径棒状部の径方向に対しても効果的にチップ浮き上がりを抑制することができる。
【図面の簡単な説明】
【図１】本発明の内径加工用工具の平面図である。
【図２】図１のＡ−Ａ線断面図である。
【図３】従来例を示す内径加工用工具の部分断面図である。
【符号の説明】
１：スローアウェイチップ
２：平板状基部
３：小径棒状部
３ａ：横逃げ面
４：ボルト固定用貫通孔
５：前端面
６：傾斜面
７ａ：拘束側面
７ｂ：非拘束側面
８：切刃部
９：すくい面
２１：内径加工用工具
２２：ホルダー
２３：ホルダー上面
２４：チップポケット
２４ａ：ネガテーパー状の壁面
２４ｂ：上縁辺側領域
２５：チップ座面
２６：ボルト
【図１】
2004001109.tif 000003
【図２】
2004001109.tif 000004
【図３】
2004001109.tif 000005